(57)【要約】【課題】コネクタハウジングの寸法増大を招かずに、嵌合時のガタつきを有効に防止できるようにする。【解決手段】メスコネクタハウジング１１の内側壁とオスコネクタハウジング５１の外側壁に、コネクタの嵌合に伴って互いに当接するバネ４０と係合凸部５５を設ける。バネは、Ｃ形湾曲部４２と一対の脚部４３、４３とを有する略Ω字形の線バネであり、係合凸部５５と当接した際にメスコネクタハウジング１１の内側壁に沿った面内で撓み変形する。メスオスコネクタハウジング１１がロックする段階では、係合凸部５５がＣ形湾曲部の最大幅部４２ａを乗り越えて、最大幅部の後側の円弧状の傾斜部４２ｂに押圧した状態となる。それにより、バネ４０の弾性反力がコネクタ嵌合方向の前方とそれに直交する方向の２方向に作用し、それらの方向のガタつきが吸収される。【選択図】図５
2010073361.tif 000002
【特許請求の範囲】
【請求項１】
互いに嵌合するメスコネクタハウジングとオスコネクタハウジングに、両コネクタハウジングが完全嵌合した状態でロックしてその嵌合状態を維持するロック手段が設けられ、前記コネクタ嵌合時に内周側と外周側で互いに対向するメスコネクタハウジングの内側壁とオスコネクタハウジングの外側壁に、当該両コネクタハウジングを嵌合するのに伴って互いに当接するバネと当接部がそれぞれ設けられ、前記バネは、前記メスコネクタハウジングの内側壁に、前記オスコネクタハウジング側の当接部と当接した際に前記内側壁に沿った面内で撓み変形するように配設されており、前記当接部は、前記ロック手段がロックした段階で、前記バネによる弾性反力を、コネクタ嵌合方向の前方とそれに直交する方向の２方向に受けるように設けられていることを特徴とするコネクタ。
【請求項２】
請求項１に記載のコネクタであって、
前記バネは、円周の一部が開放したＣ形湾曲部と該Ｃ形湾曲部の両端から延びる一対の脚部とを有する略Ω字形の線バネにより構成され、前記オスコネクタハウジングが嵌合してくる前方側に前記Ｃ形湾曲部を向け、後方側に前記一対の脚部を向けた姿勢で、前記メスコネクタハウジングの内側壁に該内側壁に沿った面内で撓み変形するように配設されており、前記当接部は、前記メスコネクタハウジングとオスコネクタハウジングの嵌合時に、嵌合の進行に従って前記バネのＣ形湾曲部の外側部に当接することで該バネを内側に撓ませ、前記ロック手段がロックする段階では、前記Ｃ形湾曲部のコネクタ嵌合方向と直交する方向における最大幅部を乗り越えて、該最大幅部の後側の円弧状の傾斜部に押圧した状態となり、それにより、前記バネの弾性反力をコネクタ嵌合方向の前方とそれに直交する方向の２方向に受ける係合凸部として設けられていることを特徴とするコネクタ。
【請求項３】
請求項２に記載のコネクタであって、
前記係合凸部の前記Ｃ形湾曲部に当接する部分が、該Ｃ形湾曲部に合わせた傾斜面として形成されていることを特徴とするコネクタ。
【請求項４】
請求項２または３に記載のコネクタであって、
前記バネの一対の脚部の先端に外向きに突出したフックが設けられ、これらフックが前記メスコネクタハウジングの内側壁に設けられた係止部に前記脚部の間隔を閉じる方向にスライド自在に係止されることで、前記Ｃ形湾曲部が内方に撓み変形できる状態で、前記バネが前記メスコネクタハウジングの内側壁に固定されていることを特徴とするコネクタ。
【請求項５】
請求項２または３に記載のコネクタであって、
前記オスコネクタハウジングの外側壁に、コネクタ嵌合時に前記バネのＣ形湾曲部が入る広幅で浅いバネガイド溝が設けられ、そのバネガイド溝の両内側壁に前記係合凸部が一対設けられていることを特徴とするコネクタ。
【発明の詳細な説明】
【技術分野】
【０００１】
本発明は、嵌合時のガタつき防止機能を備えたコネクタに関する。
【背景技術】
【０００２】
従来、ガタつき防止用のバネを一方のコネクタハウジングに組み付けておき、コネクタ嵌合時に、他方のコネクタハウジングにバネが弾性反力を及ぼすことにより、両コネクタハウジング間のガタつきを防止するガタつき防止機能を備えたコネクタが知られている。
【０００３】
図８は、例えば、特許文献１に記載されたこの種のコネクタの一例を示している。
【０００４】
このコネクタでは、オスコネクタ２１０のハウジング２１１とメスコネクタ２６０のハウジング２６１に、両コネクタ２１０、２６０を嵌合したときに、嵌合状態を維持するように互いに係合するロック突起２１２とロックアーム２６２を設けると共に、メスコネクタハウジング２６１のフード部の内側面に、内側に頂部２８５を向けたへ字状の金属製のバネ２８０を組み付け、オスコネクタ２１０とメスコネクタ２６０を嵌合させたとき、ロック突起２１２とロックアーム２６２の係合により、オスコネクタ２１０とメスコネクタ２６０をロックすると共に、メスコネクタハウジング２６１のフード部の内側面に設けたバネ２８０が、フード部の内側面と直交する方向に撓むことで、バネ２８０の頂部２８５がオスコネクタ２１０のハウジング２１１の外側面に当接して弾性反力を及ぼし、それにより、メスコネクタハウジング２６１とオスコネクタハウジング２１１間のガタつきを防止するようにしている。
【０００５】
また、図９の例では、オスコネクタハウジング２１１の外側面にへ字状の凹部２１５を設けておき、オスコネクタ２１０とメスコネクタ２６０の正規嵌合時に、バネ２８０の頂部２８５が凹部２１５に嵌り込むことによって、コネクタ２１０、２６０同士の嵌合力を増すようにしている。
【０００６】
このようなバネ２８０は、図１０に示すように、ロックアーム２６２の存在する部分を除くメスコネクタハウジング２６１の左右面部と下面部の３面に配置しておくことで、各種の方向のガタつきを防止することができる。
【特許文献１】特開２００４−１８６０７８号公報
【発明の開示】
【発明が解決しようとする課題】
【０００７】
ところで、従来の上述したコネクタでは、両コネクタハウジング２６１、２１１の完全嵌合時に、バネ２８０の頂部２８５がオスコネクタハウジング２１１の外側面を内側に単純に押すだけであるから、左右方向のガタつきは防止できるものの、コネクタ嵌合方向（前後方向）のガタを有効に防止することができないという問題があった。
【０００８】
また、バネ２８０は、メスコネクタハウジング２６１のフード部の内側面に直交する方向（コネクタ嵌合方向と直交する方向）に撓むことにより弾性反力を発生するものであるから、バネ２８０の撓みスペースを、フード部の内側面に直交する方向に確保しておかなくてはならず、それだけフード部の寸法が増大し、コネクタが大型化するおそれがあった。
【０００９】
本発明は、上記事情を考慮し、嵌合時の様々な方向のガタつきを有効に防止することができると共に、バネの撓みスペースを確保する必要性からコネクタの寸法増大を招かずにすむようにしたコネクタを提供することを目的とする。
【課題を解決するための手段】
【００１０】
請求項１の発明のコネクタは、互いに嵌合するメスコネクタハウジングとオスコネクタハウジングに、両コネクタハウジングが完全嵌合した状態でロックしてその嵌合状態を維持するロック手段が設けられ、前記コネクタ嵌合時に内周側と外周側で互いに対向するメスコネクタハウジングの内側壁とオスコネクタハウジングの外側壁に、当該両コネクタハウジングを嵌合するのに伴って互いに当接するバネと当接部がそれぞれ設けられ、前記バネは、前記メスコネクタハウジングの内側壁に、前記オスコネクタハウジング側の当接部と当接した際に前記内側壁に沿った面内で撓み変形するように配設されており、前記当接部は、前記ロック手段がロックした段階で、前記バネによる弾性反力を、コネクタ嵌合方向の前方とそれに直交する方向の２方向に受けるように設けられていることを特徴とする。
【００１１】
請求項２の発明は、請求項１に記載のコネクタであって、前記バネは、円周の一部が開放したＣ形湾曲部と該Ｃ形湾曲部の両端から延びる一対の脚部とを有する略Ω字形の線バネにより構成され、前記オスコネクタハウジングが嵌合してくる前方側に前記Ｃ形湾曲部を向け、後方側に前記一対の脚部を向けた姿勢で、前記メスコネクタハウジングの内側壁に該内側壁に沿った面内で撓み変形するように配設されており、前記当接部は、前記メスコネクタハウジングとオスコネクタハウジングの嵌合時に、嵌合の進行に従って前記バネのＣ形湾曲部の外側部に当接することで該バネを内側に撓ませ、前記ロック手段がロックする段階では、前記Ｃ形湾曲部のコネクタ嵌合方向と直交する方向における最大幅部を乗り越えて、該最大幅部の後側の円弧状の傾斜部に押圧した状態となり、それにより、前記バネの弾性反力をコネクタ嵌合方向の前方とそれに直交する方向の２方向に受ける係合凸部として設けられていることを特徴とする。
【００１２】
請求項３の発明は、請求項２に記載のコネクタであって、前記係合凸部の前記Ｃ形湾曲部に当接する部分が、該Ｃ形湾曲部に合わせた傾斜面として形成されていることを特徴とする。
【００１３】
請求項４の発明は、請求項２または３に記載のコネクタであって、前記バネの一対の脚部の先端に外向きに突出したフックが設けられ、これらフックが前記メスコネクタハウジングの内側壁に設けられた係止部に前記脚部の間隔を閉じる方向にスライド自在に係止されることで、前記Ｃ形湾曲部が内方に撓み変形できる状態で、前記バネが前記メスコネクタハウジングの内側壁に固定されていることを特徴とする。
【００１４】
請求項５の発明は、請求項２または３に記載のコネクタであって、前記オスコネクタハウジングの外側壁に、コネクタ嵌合時に前記バネのＣ形湾曲部が入る広幅で浅いバネガイド溝が設けられ、そのバネガイド溝の両内側壁に前記係合凸部が一対設けられていることを特徴とする。
【発明の効果】
【００１５】
請求項１の発明によれば、バネがメスコネクタハウジングの内側壁に沿った面内で撓み変形するように配設されているので、バネの撓みスペースを、メスコネクタハウジングの内側壁に直交する方向に確保する必要がなくなる。そのため、バネの撓みスペースを確保するために、メスコネクタハウジングの寸法を外側に増大させる必要がなく、コネクタのコンパクト化が図れる。
【００１６】
つまり、本発明のコネクタでは、メスコネクタハウジングの内側壁に沿った方向にバネが撓むようになっているため、バネの撓みスペースを、メスコネクタハウジングの内側壁に直交する方向に確保するのではなく、メスコネクタハウジングの内側壁に沿った方向に確保しておけばよくなる。メスコネクタハウジングの内側壁に沿った方向にバネの撓みスペースを確保するのは容易であるため、特別にコネクタハウジングの寸法増大を図る必要はなく、そのためコネクタのコンパクト化に貢献することができる。
【００１７】
また、コネクタ完全嵌合時の段階で、バネによる弾性反力を、オスコネクタハウジング側の当接部が、コネクタ嵌合方向の前方とそれに直交する２方向に受けるので、コネクタ嵌合保持力を強めながら、両コネクタハウジング間の様々な方向のガタつきを防止することができる。
【００１８】
請求項２の発明によれば、略Ω字形の線材バネをメスコネクタハウジングの内側壁に配設し、コネクタが完全嵌合しロック手段がロックする段階で、オスコネクタハウジング側の係合凸部がバネのＣ形湾曲部の最大幅部を乗り越えるようにしているので、簡単な構造のバネを使用しながら、コネクタ嵌合方向とそれに直交する２方向のガタつきを確実に防止することができる。
【００１９】
請求項３の発明によれば、係合凸部のＣ形湾曲部に当接する部分が、Ｃ形湾曲部に合わせた傾斜面として形成されているので、コネクタ完全嵌合状態におけるバネと係合凸部の当たりを安定させることができ、バネの弾性反力を予定する方向に向かって確実に作用させることができ、ガタつきを有効に防止することができる。
【００２０】
請求項４の発明によれば、バネの一対の脚部の先端に設けたフックを、メスコネクタハウジングの内側壁に設けた係止部に係止させることにより、簡単にバネをメスコネクタハウジングに装着することができる。
【００２１】
請求項５の発明によれば、オスコネクタハウジングの外側壁にバネガイド溝を設け、そのバネガイド溝にバネのＣ形湾曲部が収容されるようにしてあり、そのバネガイド溝の両内側壁に一対の係合凸部を設けているので、係合凸部とＣ形湾曲部の外側部を安定して当接させることができ、バネの弾性反力をスムーズに一対の係合凸部を介してオスコネクタハウジング側に作用させることができる。
【発明を実施するための最良の形態】
【００２２】
以下、本発明の実施形態を図面を参照して説明する。
【００２３】
図１は実施形態のコネクタの一方の要素であるメスコネクタの分解斜視図、図２は同メスコネクタのバネを取り付けた部分の構成を示す部分斜視図、図３（ａ）、（ｂ）はメスコネクタとオスコネクタの嵌合前の状態をそれぞれ別の方向から見て示す斜視図、図４はメスコネクタとオスコネクタの嵌合初期の状態を示す要部の縦断面図、図５はメスコネクタとオスコネクタの完全嵌合時の状態を示す要部の縦断面図、図６は実施形態のコネクタに対する比較例のコネクタの嵌合前の状態を示す要部の縦断面図、図７は同比較例のコネクタの完全嵌合時の状態を示す要部の縦断面図である。
【００２４】
図３に示すように、本実施形態のコネクタは、メスコネクタ１０と、そのメスコネクタ１０に嵌合されるオスコネクタ５０とからなる。
【００２５】
メスコネクタ１０は、図１および図２に示すように、上壁１１Ａと下壁１１Ｂと左側壁１１Ｃと右側壁１１Ｄとを有する四角筒形の樹脂製のメスコネクタハウジング１１の内奥部に、図示略の端子金具を収納固定したものである。
【００２６】
上壁１１Ａの上部には、係止孔１６を有するロックアーム（ロック手段）１５が設けられている。また、左側壁１１Ｃの内面には、後述するバネ４０を固定するための係止部２１、２２が設けられている。
【００２７】
一方、オスコネクタ５０は、図３に示すように、メスコネクタハウジング１１に嵌合する直方体形の樹脂製のオスコネクタハウジング５１の内部に、図示略の端子金具を収納固定したものである。
【００２８】
オスコネクタハウジング５１の上部には、オスコネクタ５０とメスコネクタ１０を完全嵌合させたときに、ロックアーム１５の係止孔１６と係合することで、両コネクタハウジング１１、５１をロックして、その嵌合状態を維持するロック突起（ロック手段）５６が設けられている。
【００２９】
また、オスコネクタ５０とメスコネクタ１０を嵌合させたときに、内周側と外周側で互いに対向するメスコネクタハウジング１１の左側壁１１Ｃの内面（内側壁）と、オスコネクタハウジング５１の左側壁５１Ｃの外面（外側壁）に、両コネクタ１０、５０を嵌合するのに伴って互いに当接するガタつき防止用のバネ４０と係合凸部（当接部）５５とがそれぞれ設けられている。
【００３０】
この場合のバネ４０は、図４、図５に示すように、オスコネクタハウジング５１側の係合凸部５５と当接した際に、メスコネクタハウジング１１の左側壁１１Ｃの内面（内側壁）に沿った平面内で撓み変形するように配設されている。
【００３１】
このバネ４０は、図１に示すように、円周の一部が開放したＣ形湾曲部４２と、このＣ形湾曲部４２の両端から延びる一対の脚部４３、４３とを有する略Ω字形の線バネにより構成されており、オスコネクタハウジング５１が嵌合してくる前方側にＣ形湾曲部４２を向け、後方側に一対の脚部４３、４３を向けた姿勢で配設されている。
【００３２】
バネ４０の一対の脚部４３、４３の先端には外向きに突出したフック４１が設けられており、図４に示すように、これらフック４１が、メスコネクタハウジング１１の左側壁１１Ｃの内面（内側壁）に設けられた一対の係止部２１に、脚部４３の間隔を閉じる方向（矢印Ａ方向）にスライド自在に係止されていることで、Ｃ形湾曲部４２が内方に撓み変形できる状態で、バネ４０がメスコネクタハウジング１１に固定されている。なお、図１に示すように、メスコネクタハウジング１１側のもう一つの係止部２２が、バネ４０のＣ形湾曲部４２を外れないように係止している。
【００３３】
また、図３に示すように、オスコネクタハウジング５１の左側壁５１Ｃの外面（外側壁）には、コネクタ嵌合時にバネ４０のＣ形湾曲部４２が入る広幅で深さの浅いバネガイド溝５２が設けられており、このバネガイド溝５２の上下の両内側壁に係合凸部５５が一対設けられている。
【００３４】
そして、これら上下の係合凸部５５が、ロックアーム１５とロック突起５６がロックした段階で、バネ４０による弾性反力を、コネクタ嵌合方向の前方とそれに直交する方向（本例では上下方向）の２方向に受けるようになっている。
【００３５】
即ち、係合凸部５５は、メスコネクタハウジング１１とオスコネクタハウジング５１の嵌合時に、嵌合の進行に従ってバネ４０のＣ形湾曲部４２の外側部に当接することでバネ４０を内側（図４の矢印Ａ方向）に撓ませ、ロックアーム１５とロック突起５６がロックする段階では、図５に示すように、Ｃ形湾曲部４２のコネクタ嵌合方向と直交する方向における最大幅部４２ａを乗り越えて、最大幅部４２ａの後側の円弧状の傾斜部４２ｂに押圧した状態となり、それにより、バネ４０の弾性反力を、コネクタ嵌合方向の前方とそれに直交する方向の２方向に受けるようにようになっている。そして、係合凸部５５のＣ形湾曲部４２に当接する部分が、Ｃ形湾曲部４２に合わせた傾斜面５５ａとして形成されている。
【００３６】
次に作用を説明する。
【００３７】
メスコネクタ１０とオスコネクタ５０を嵌合すると、図４に示すように、バネ４０のＣ形湾曲部４２がオスコネクタハウジング５１のバネガイド溝５２に入る。更に嵌合を進めると、バネガイド溝５２の上下に設けてある係合凸部５５が、バネ４０のＣ形湾曲部４２の前側に当たり、さらに嵌合を進めると、係合凸部５５がＣ形湾曲部４２を内側に撓ませながら、図５に示すように、Ｃ形湾曲部４２の最大幅部４２ａを乗り越える。乗り越えると、係合凸部５５が最大幅部４２ａの後側の円弧状の傾斜部４２ｂに押圧した状態となり、それにより、バネ４０の弾性反力（矢印Ｂ方向の力）が、オスコネクタハウジング５１に対して、コネクタ嵌合方向の前方とそれに直交する方向の２方向に作用するようになる。従って、オスコネクタ５０とメスコネクタ１０の嵌合保持力を強めながら、両コネクタハウジング１１、５１間の様々な方向のガタつきを防止することができる。
【００３８】
この点について比較例と比べてみる。
【００３９】
図６、図７に示す比較例のコネクタは、メスコネクタ１１０とオスコネクタ１５０とからなり、メスコネクタハウジング１１１の嵌合口１１２の内部にオスコネクタハウジング１５１を嵌合できるようになっている。嵌合口１１２の内側壁には、先端の屈曲部１４２から挟角θ１で斜め外方に一対の脚部１４３、１４３を延ばしたＶ字形の線材バネ１４０が取り付けられており、一対の脚部１４３、１４３の先端に設けたフック１４１を係止部１２１に係止させることで、バネ１４０はメスコネクタハウジング１１１に固定されている。
【００４０】
また、相手側のオスコネクタハウジング１５１には、バネ１４０に対応した挟角θ２（＜θ１）のＶ溝１５２が設けられており、図７に示すように、オスコネクタ１５０とメスコネクタ１１０が完全嵌合したときに、Ｖ溝１５２の内壁がバネ１４０の一対の脚部１４３、１４３を内側に押圧することで、バネ１４０の弾性反力がオスコネクタ１５０を押し戻す方向に作用し、それにより、ロック時の嵌合方向のガタつきを吸収するようになっている。
【００４１】
しかし、このコネクタの場合、バネ１４０が、前方に屈曲部１４２を向けたＶ字形に構成されており、バネ１４０の弾性反力がオスコネクタ１５０を押し戻す方向に作用するため、嵌合保持力が弱まってしまう。
【００４２】
これに対し、図１〜図５に示した本実施形態のコネクタでは、完全嵌合時に、バネ４０がコネクタ嵌合方向の前方に向けて弾性反力を及ぼすので、嵌合を強めることができ、嵌合保持力を強化することができる。
【００４３】
また、このコネクタによれば、バネ４０がメスコネクタハウジング１１の左側壁１１Ｃに沿った面内で撓み変形するように配設されているので、バネ４０の撓みスペースを、メスコネクタハウジング１１の左側壁１１Ｃに直交する方向に確保する必要がなくなる。そのため、バネ４０の撓みスペースを確保するために、メスコネクタハウジング１１の寸法を外側に増大させる必要がなく、コネクタのコンパクト化が図れる。
【００４４】
つまり、このコネクタでは、メスコネクタハウジング１１の左側壁１１Ｃに沿った方向にバネ４０が撓むようになっているため、バネ４０の撓みスペースを、メスコネクタハウジング１１の左側壁１１Ｃに直交する方向に確保するのではなく、メスコネクタハウジング１１の左側壁１１Ｃに沿った方向に確保しておけばよくなる。メスコネクタハウジング１１の左側壁１１Ｃに沿った方向にバネ４０の撓みスペースを確保するのは、配設箇所の関係から容易であるため、特別にメスコネクタハウジング１１の寸法増大を図る必要はなく、そのためコネクタのコンパクト化に貢献することができる。
【００４５】
また、本実施形態では、略Ω字形の線材バネ４０をメスコネクタハウジング１１の左側壁１１Ｃに内面に配設し、コネクタが完全嵌合しロックアーム１５とロック突起５６がロックする段階で、オスコネクタハウジング５１側の係合凸部５５がバネ４０のＣ形湾曲部４２の最大幅部４２ａを乗り越えるようにしているので、簡単な構造のバネ４０を使用しながら、コネクタ嵌合方向とそれに直交する２方向のガタつきを確実に防止することができる。特に、係合凸部５５のＣ形湾曲部４２に当接する部分が、Ｃ形湾曲部４２に合わせた傾斜面５５ａとして形成されているので、コネクタ完全嵌合状態におけるバネ４０と係合凸部５５の当たりを安定させることができ、バネ４０の弾性反力を、予定する方向に向かって確実に作用させることができ、ガタつきを有効に防止することができる。
【００４６】
また、本実施形態では、バネ４０の一対の脚部４３、４３の先端に設けたフック４１を、メスコネクタハウジング１１の左側壁１１Ｃの内面に設けた係止部２１、２２に係止させることにより、簡単にバネ４０をメスコネクタハウジング１１に装着することができる。
【００４７】
また、本実施形態では、オスコネクタハウジング５１の外側壁にバネガイド溝５２を設け、そのバネガイド溝５２にバネ４０のＣ形湾曲部４２が収容されるようにしてあり、そのバネガイド溝５２の両内側壁に一対の係合凸部５５、５５を設けているので、係合凸部５５とＣ形湾曲部４２の外側部を安定して当接させることができ、バネ４０の弾性反力をスムーズに一対の係合凸部５５、５５を介してオスコネクタハウジング５１側に作用させることができる。
【００４８】
なお、上記実施形態では、メスコネクタハウジング１１およびオスコネクタハウジング５１の左右方向の片側だけにバネ４０や係合凸部５５を設けているが、左右両側にバネや係合凸部を設けてもよい。
【図面の簡単な説明】
【００４９】
【図１】本発明の実施形態のコネクタの一方の要素であるメスコネクタの分解斜視図である。
【図２】同メスコネクタのバネを取り付けた部分の構成を示す部分斜視図である。
【図３】（ａ）、（ｂ）はメスコネクタとオスコネクタの嵌合前の状態をそれぞれ別の方向から見て示す斜視図である。
【図４】メスコネクタとオスコネクタの嵌合初期の状態を示す要部の縦断面図である。
【図５】メスコネクタとオスコネクタの完全嵌合時の状態を示す要部の縦断面図である。
【図６】本発明の実施形態のコネクタに対する比較例のコネクタの嵌合前の状態を示す要部の縦断面図である。
【図７】同比較例のコネクタの完全嵌合時の状態を示す要部の縦断面図である。
【図８】従来のガタつき防止機能を備えたコネクタの例を示す平面図である。
【図９】その変形例を示す図であり、（ａ）はオスコネクタの平面図、（ｂ）はオスメスコネクタの嵌合状態を示す平面図である。
【図１０】ガタつき防止バネの配置箇所の例を示すためのメスコネクタの正面図である。
【符号の説明】
【００５０】
１１  メスコネクタハウジング
１５  ロックアーム（ロック手段）
４０  バネ
４１  フック
４２  Ｃ形湾曲部
４２ａ  最大幅部
４２ｂ  傾斜部
４３  脚部
５１  メスコネクタハウジング
５２  バネガイド溝
５５  係合凸部（当接部）
５５ａ  傾斜面
５６  ロック突起（ロック手段）
【図１】
2010073361.tif 000003
【図２】
2010073361.tif 000004
【図３】
2010073361.tif 000005
【図４】
2010073361.tif 000006
【図５】
2010073361.tif 000007
【図６】
2010073361.tif 000008
【図７】
2010073361.tif 000009
【図８】
2010073361.tif 000010
【図９】
2010073361.tif 000011
【図１０】
2010073361.tif 000012